【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
（ｉ）患者インターフェイスデバイスを介して患者に送られる呼吸ガスのフローを生成するプレッシャーサポートシステムの圧力生成デバイスベースユニットであって、ベースユニットセンサを含む、圧力生成デバイスベースユニットと、（ｉｉ）それぞれがセンサを含む複数の無線周辺デバイスであって、各無線周辺デバイスは、前記プレッシャーサポートシステム、又は環境内の追加のプレッシャーサポートシステムのコンポーネントである、無線周辺デバイスとを有する前記環境において、前記圧力生成デバイスベースユニット及び各前記無線周辺デバイスは無線通信プロトコルを用いた無線ペアリングのために構成され、
前記圧力生成デバイスベースユニットを前記無線通信プロトコルに従って前記無線周辺デバイスのうちの１つ以上と少なくとも一時的に無線通信させ、前記無線周辺デバイスのうちの前記１つ以上のそれぞれから周辺デバイスデータ信号を無線受信させるステップであって、前記無線周辺デバイスのうちの前記１つ以上のそれぞれから受信される前記周辺デバイスデータ信号は前記無線周辺デバイスの前記センサによる１つ以上の測定に基づくステップと、
前記圧力生成デバイスベースユニットにおいて複数のベースユニットデータ信号を生成するステップであって、各前記ベースユニットデータ信号は前記ベースユニットセンサによる１つ以上の測定に基づくステップと、
前記圧力生成デバイスベースユニットにおいて各前記周辺デバイスデータ信号及び前記複数のベースユニットデータ信号を分析するステップであって、前記圧力生成デバイスベースユニットにおいて、各前記周辺デバイスデータ信号及び前記複数のベースユニットデータ信号を使用して相関分析を実行するステップを含むステップと、
前記圧力生成デバイスベースユニットにおいて、前記相関分析の結果に基づき、前記無線周辺デバイスのうちの前記１つ以上のうちの少なくとも１つを選択するステップと、
前記選択するステップに応じて、前記圧力生成デバイスベースユニットと、前記無線周辺デバイスのうちの前記１つ以上のうちの前記選択された少なくとも１つ以外の前記無線周辺デバイスではなく、前記無線周辺デバイスのうちの前記１つ以上のうちの前記選択された少なくとも１つとの間で前記無線通信プロトコルに従う無線通信を確立又は維持するステップと
を含む、自動無線ペアリング方法。
【請求項２】
前記１つ以上の無線周辺デバイスは、前記複数の無線周辺デバイスのそれぞれである、請求項１に記載の方法。
【請求項３】
前記相関分析は各前記周辺デバイスデータ信号を前記ベースユニットデータ信号のうちの１つと比較し、前記無線周辺デバイスのうちの前記１つ以上のうちの各前記選択された少なくとも１つは、比較された前記ベースユニットデータ信号のうちの前記１つに対して少なくともあるレベルの相関を有するよう決定される、請求項１に記載の方法。
【請求項４】
前記ベースユニットセンサはフローセンサ又は圧力センサであり、各前記ベースユニットデータ信号はフロー信号又は圧力信号であり、各無線周辺デバイスはマスクコンポーネントに結合された無線圧力センサであり、各前記周辺デバイスデータ信号は圧力信号である、請求項１に記載の方法。
【請求項５】
前記無線通信及び無線受信させるステップは、更に、前記圧力生成デバイスベースユニットに所定の刺激を生成させるステップを含み、前記分析するステップは、前記周辺デバイスデータ信号のいずれかが前記所定の刺激に対して予期される応答を示すか否かを決定するために各前記周辺デバイスデータ信号及び前記複数のベースユニットデータ信号を分析するステップを含み、前記無線周辺デバイスのうちの前記１つ以上のうちの前記選択された少なくとも１つは、前記予期される応答を示す周辺デバイスデータ信号を生成した無線周辺デバイスである、請求項１に記載の方法。
【請求項６】
各前記無線周辺デバイスはマスクコンポーネントに結合された無線圧力センサであり、各前記周辺デバイスデータ信号は圧力信号であり、前記所定の刺激は前記圧力生成デバイスベースユニットによって生成される圧力パルスである、請求項５に記載の方法。
【請求項７】
前記無線通信プロトコルはＢｌｕｅｔｏｏｔｈ（登録商標）プロトコルである、請求項１に記載の方法。
【請求項８】
それぞれがセンサを含む複数の無線周辺デバイスと無線通信プロトコルを用いて無線ペアリングする、患者インターフェイスデバイスを介して患者に送られる呼吸ガスのフローを生成するプレッシャーサポートシステムの圧力生成デバイスベースユニットであって、各無線周辺デバイスは、前記プレッシャーサポートシステム、又は環境内の追加のプレッシャーサポートシステムのコンポーネントであり、前記圧力生成デバイスベースユニットは、
ベースユニットセンサと、
前記無線通信プロトコルを実装する無線通信モジュールと、
前記無線通信モジュールに結合されたコントローラとを含み、前記コントローラは、前記コントローラによって実行可能な１つ以上のソフトウェアルーチンを保存し、前記１つ以上のソフトウェアルーチンは、
前記圧力生成デバイスベースユニットに前記無線通信プロトコルに従って前記無線周辺デバイスのうちの１つ以上と少なくとも一時的に無線通信させ、前記無線周辺デバイスのうちの前記１つ以上のそれぞれから周辺デバイスデータ信号を無線受信させ、前記無線周辺デバイスのうちの前記１つ以上のそれぞれから受信された前記周辺デバイスデータ信号は前記無線周辺デバイスの前記センサによる１つ以上の測定に基づき、
前記圧力生成デバイスベースユニットに複数のベースユニットデータ信号を生成させ、各前記ベースユニットデータ信号は前記ベースユニットセンサによる１つ以上の測定に基づき、
各前記周辺デバイスデータ信号及び前記複数のベースユニットデータ信号を分析し、これは前記圧力生成デバイスベースユニットにおいて、各前記周辺デバイスデータ信号及び前記複数のベースユニットデータ信号を使用して相関分析を実行することを含み、
前記相関分析の結果に基づき前記無線周辺デバイスのうちの前記１つ以上のうちの少なくとも１つを選択し、
前記無線周辺デバイスのうちの前記１つ以上のうちの少なくとも１つの選択に応じて、前記圧力生成デバイスベースユニットと、前記無線周辺デバイスのうちの前記１つ以上のうちの前記選択された少なくとも１つ以外の前記無線周辺デバイスではなく、前記無線周辺デバイスのうちの前記１つ以上のうちの前記選択された少なくとも１つとの間で前記無線通信プロトコルに従う無線通信を前記無線通信モジュールを使用して確立又は維持する、圧力生成デバイスベースユニット。
【請求項９】
前記相関分析は、各前記周辺デバイスデータ信号を前記ベースユニットデータ信号のうちの１つと比較し、前記無線周辺デバイスのうちの前記１つ以上のうちの各前記選択された少なくとも１つは、比較された前記ベースユニットデータ信号のうちの前記１つと少なくともあるレベルの相関を有するよう決定される、請求項８に記載の圧力生成デバイスベースユニット。
【請求項１０】
前記ベースユニットセンサはフローセンサ又は圧力センサであり、各前記ベースユニットデータ信号はフロー信号又は圧力信号であり、各無線周辺デバイスはマスクコンポーネントに結合された無線圧力センサであり、各前記周辺デバイスデータ信号は圧力信号である、請求項８に記載の圧力生成デバイスベースユニット。
【請求項１１】
前記１つ以上のソフトウェアルーチンは、前記圧力生成デバイスベースユニットに所定の刺激を生成させ、前記周辺デバイスデータ信号のいずれかが前記所定の刺激に対して予期される応答を示すか否かを決定するために各前記周辺デバイスデータ信号及び前記複数のベースユニットデータ信号を分析し、前記無線周辺デバイスのうちの前記１つ以上のうちの前記選択された少なくとも１つは、前記予期される応答を示す周辺デバイスデータ信号を生成した無線周辺デバイスである、請求項８に記載の圧力生成デバイスベースユニット。
【請求項１２】
各無線周辺デバイスはマスクコンポーネントに結合された無線圧力センサであり、各前記周辺デバイスデータ信号は圧力信号であり、前記所定の刺激は前記圧力生成デバイスベースユニットによって生成される圧力パルスである、請求項１１に記載の圧力生成デバイスベースユニット。
【請求項１３】
前記無線通信プロトコルはＢｌｕｅｔｏｏｔｈ（登録商標）プロトコルであり、前記無線通信モジュールはＢｌｕｅｔｏｏｔｈ（登録商標）モジュールである、請求項８に記載の圧力生成デバイスベースユニット。